【手続補正書】
【提出日】平成31年4月23日(2019.4.23)
【手続補正１】
【補正対象書類名】特許請求の範囲
【補正対象項目名】全文
【補正方法】変更
【補正の内容】
【特許請求の範囲】
【請求項１】
主蓄電装置（５０）と、前記主蓄電装置の出力電圧を降圧して機器（４０）へ供給する主電力変換装置（２０）と、前記主電力変換装置と比べて前記機器の動作停止状態での電力変換効率が高く、前記主蓄電装置の出力電圧を降圧して前記機器へ供給する副電力変換装置（７０）と、前記主電力変換装置及び前記機器と電気的に接続され、前記機器へ電力を供給する副蓄電装置（５５）と、を備える電源システム（１００）に適用され、
前記機器が動作停止状態から動作状態へと移行することを予測する動作予測部（Ｓ１３，Ｓ１４）と、
前記機器が動作停止状態から動作状態へと移行すると予測されない場合、前記主電力変換装置を動作停止状態とし、かつ前記副電力変換装置から前記機器へ電力を供給させるために前記副電力変換装置を動作させ、前記機器が動作停止状態から動作状態に移行すると予測された場合、前記主電力変換装置から前記機器へ電力を供給させるために前記主電力変換装置を動作させる供給制御部（Ｓ１２，Ｓ１５）と、
前記主蓄電装置の残存容量を取得する主取得部（Ｓ３１）と、を備え、
前記供給制御部は、前記主蓄電装置の残存容量が主閾値を下回った場合に、前記副電力変換装置の出力電圧指令値を、前記副蓄電装置の出力電圧よりも低い値に設定することで、前記副電力変換装置から前記機器への電力供給を停止させる、制御装置。
【請求項２】
前記副蓄電装置の残存容量を取得する副取得部（Ｓ３２）を備え、
前記供給制御部は、前記副蓄電装置の残存容量が副閾値を下回った場合に、前記副電力変換装置の出力電圧指令値を、前記副蓄電装置の出力電圧よりも高い値に設定することで、前記副蓄電装置から前記機器への電力供給を停止させる、請求項１に記載の制御装置。
【請求項３】
主蓄電装置（５０）と、前記主蓄電装置の出力電圧を降圧して機器（４０）へ供給する主電力変換装置（２０）と、前記主電力変換装置と比べて前記機器の動作停止状態での電力変換効率が高く、前記主蓄電装置の出力電圧を降圧して前記機器へ供給する副電力変換装置（７０）と、前記主電力変換装置及び前記機器と電気的に接続され、前記機器へ電力を供給する副蓄電装置（５５）と、を備える電源システム（１００）に適用され、
前記機器が動作停止状態から動作状態へと移行することを予測する動作予測部（Ｓ１３，Ｓ１４）と、
前記機器が動作停止状態から動作状態へと移行すると予測されない場合、前記主電力変換装置を動作停止状態とし、かつ前記副電力変換装置から前記機器へ電力を供給させるために前記副電力変換装置を動作させ、前記機器が動作停止状態から動作状態に移行すると予測された場合、前記主電力変換装置から前記機器へ電力を供給させるために前記主電力変換装置を動作させる供給制御部（Ｓ１２，Ｓ１５）と、
前記副蓄電装置の残存容量を取得する副取得部（Ｓ３２）と、を備え、
前記供給制御部は、前記副蓄電装置の残存容量が副閾値を下回った場合に、前記副電力変換装置の出力電圧指令値を、前記副蓄電装置の出力電圧よりも高い値に設定することで、前記副蓄電装置から前記機器への電力供給を停止させる、制御装置。
【請求項４】
前記機器を第１機器とし、
前記電源システムは、前記主蓄電装置に電気的に接続され、前記第１機器よりも負荷が高い第２機器（５１）を備え、
前記供給制御部は、前記主蓄電装置から前記第２機器へと電力が供給されておらず、かつ前記第１機器が動作停止状態から動作状態へと移行すると予測されない場合、前記主電力変換装置を動作停止状態とし、かつ前記機器へ電力を供給させるために前記副電力変換装置を動作させる請求項１〜３のいずれか一項に記載の制御装置。
【請求項５】
前記副電力変換装置の電力変換効率は、前記機器に流れる暗電流に対応する負荷電流範囲において、前記主電力変換装置の電力変換効率よりも高い値となっている、請求項１〜４のいずれか一項に記載の制御装置。
【請求項６】
前記供給制御部は、前記機器が動作状態へと移行することが予測された後に、前記主電力変換装置から前記機器へ電力を供給させる場合は、前記副電力変換装置から前記機器への電力供給を停止させる、請求項１〜５のいずれか一項に記載の制御装置。
【請求項７】
前記電源システムは、ユーザに携帯される携帯機（６５）から送信される送信波を受信する受信装置（６０）を備える車両に搭載されており、
前記動作予測部は、前記受信装置により受信された前記送信波に基づいて、前記携帯機と前記車両との距離が所定距離以下となる状態を検出した場合に、前記機器が動作状態へと移行することを予測する、請求項１〜６のいずれか一項に記載の制御装置。
【請求項８】
前記動作予測部は、前記受信装置における前記送信波の受信状態に基づいて、前記携帯機と前記車両との距離が前記所定距離よりも大きくなる状態を検出した場合に、前記機器が動作状態から動作停止状態へと移行することを予測し、
前記供給制御部は、前記機器が動作停止状態へと移行することが予測された場合、前記主電力変換装置から前記機器への電力供給を停止させ、かつ前記機器へ電力を供給させるために前記副電力変換装置を動作させる、請求項７に記載の制御装置。
【請求項９】
前記電源システムは、車両ドアの開錠状態と施錠状態とを切り替える施錠装置（６１）を備える車両に搭載されており、
前記動作予測部は、前記開錠状態を検出した場合に、前記機器の前記動作状態への移行を予測する、請求項１〜８のいずれか一項に記載の制御装置。
【請求項１０】
前記動作予測部は、前記車両ドアが前記開錠状態から前記施錠状態へ切り替えられた場合に、前記機器が動作状態から動作停止状態へと移行することを予測し、
前記供給制御部は、前記機器が動作停止状態へと移行することが予測された場合、前記主電力変換装置から前記機器への電力供給を停止させ、かつ前記機器へ電力を供給させるために前記副電力変換装置を動作させる、請求項９に記載の制御装置。
【請求項１１】
請求項１〜１０のいずれか一項に記載の制御装置と、
前記電源システムと、を備え、
前記機器を第１機器とし、
前記電源システムは、
主電力供給ライン（ＨＬ１〜ＨＬ４）と、
前記主蓄電装置に前記主電力供給ラインを通じて電気的に接続され、前記第１機器よりも負荷が高い第２機器と、
前記主電力供給ラインに設けられ、前記主蓄電装置と前記第２機器との電気的な接続を切り替える切替部（ＳＭＲ１，ＳＭＲ２）と、を備え、
前記主電力変換装置及び前記副電力変換装置は、前記主電力供給ラインのうち前記切替部よりも前記主蓄電装置側に接続されている、制御システム。
【請求項１２】
主蓄電装置（５０）と、前記主蓄電装置の出力電圧を降圧して第１機器（４０）へ供給する主電力変換装置（２０）と、前記主電力変換装置と比べて前記第１機器の動作停止状態での電力変換効率が高く、前記主蓄電装置の出力電圧を降圧して前記第１機器へ供給する副電力変換装置（７０）と、前記主電力変換装置及び前記第１機器と電気的に接続され、前記第１機器へ電力を供給する副蓄電装置（５５）と、を有する電源システム（１００）と、
制御装置と、を備え、
前記制御装置は、
前記第１機器が動作停止状態から動作状態へと移行することを予測する動作予測部（Ｓ１３，Ｓ１４）と、
前記第１機器が動作停止状態から動作状態へと移行すると予測されない場合、前記主電力変換装置を動作停止状態とし、かつ前記副電力変換装置から前記第１機器へ電力を供給させるために前記副電力変換装置を動作させ、前記第１機器が動作停止状態から動作状態に移行すると予測された場合、前記主電力変換装置から前記第１機器へ電力を供給させるために前記主電力変換装置を動作させる供給制御部（Ｓ１２，Ｓ１５）と、を有し、
前記供給制御部は、前記第１機器が動作状態へと移行することが予測された後に、前記主電力変換装置から前記第１機器へ電力を供給させる場合は、前記副電力変換装置から前記第１機器への電力供給を停止させ、
前記電源システムは、
主電力供給ライン（ＨＬ１〜ＨＬ４）と、
前記主蓄電装置に前記主電力供給ラインを通じて電気的に接続され、前記第１機器よりも負荷が高い第２機器と、
前記主電力供給ラインに設けられ、前記主蓄電装置と前記第２機器との電気的な接続を切り替える切替部（ＳＭＲ１，ＳＭＲ２）と、
前記主電力変換装置と前記副蓄電装置とを電気的に接続する副電力供給ライン（ＬＬ）と、
前記副電力変換装置と前記副電力供給ラインとを電気的に接続する補助ライン（ＬＢ）と、
を有し、
前記主電力変換装置及び前記副電力変換装置は、前記主電力供給ラインのうち前記切替部よりも前記主蓄電装置側に接続されており、
前記補助ラインに設けられ、前記主電力変換装置から前記副電力変換装置への電流の流通を防止する逆流防止部（８０）を備える、制御システム。